(57)【特許請求の範囲】
【請求項１】
電動注入器であって、
電動注入器シリンジであって、シリンジ筒、フランジ、該シリンジ筒内に配置され該シリンジ筒に対して移動可能であるプランジャ、および少なくとも１つのＲＦＩＤタグを備える、電動注入器シリンジと、
シリンジプランジャ駆動アセンブリであって、該プランジャと相互作用して該プランジャを該シリンジ筒に対して移動させる電動式駆動源を備える、シリンジプランジャ駆動アセンブリと、
第１のクランプ部材を備えるクランプアセンブリであって、該第１のクランプ部材は、該クランプアセンブリの開放および閉鎖構成を画定することを少なくとも補助するように移動可能であり、該第１のクランプ部材は、該クランプ部材が該閉鎖構成にあるときに、該電動注入器シリンジと近接して離間した関係または接触した状態のうちの少なくとも１つで配置され、該第１のクランプ部材は、第１の端部表面、第２の端部表面、および内部表面を含み、該第１のクランプ部材の該第１の端部表面は、該クランプアセンブリが該閉鎖構成にあるときに、該電動注入器シリンジの該フランジに向かって突出しており、該第１のクランプ部材の該第２の端部表面は、該第１の端部表面と対向関係で配置され、該第１のクランプ部材の該内部表面は、該クランプアセンブリが該閉鎖構成にあるときに該電動注入器シリンジの該シリンジ筒に向かって突出しており、該第１のクランプ部材は、該第１のクランプ部材の該第１の端部表面、該第２の端部表面、および該内部表面のうちの１つの上に配置された第１のＲＦＩＤリーダアンテナを備える、クランプアセンブリと
備える、電動注入器。
【請求項２】
前記第１のクランプ部材は、第１の位置と第２の位置との間で旋回可能である、請求項１に記載の電動注入器。
【請求項３】
第１の旋回ピンをさらに備え、該第１の旋回ピンは、導電性であり、前記第１のＲＦＩＤリーダアンテナと電気的に相互接続され、前記第１のクランプ部材は、該第１の旋回ピン上に載置される、請求項１〜２のうちのいずれかに記載の電動注入器。
【請求項４】
第１の電気接点をさらに備え、該第１の電気接点は、移動可能であり、前記第１の旋回ピンと係合するように付勢され、前記第１のＲＦＩＤリーダアンテナと電気的に相互接続される、請求項３に記載の電動注入器。
【請求項５】
前記第１の旋回ピンは、第１の絶縁部および第１の導電部対を備えており、該第１の絶縁部は、該第１の旋回ピンの長さ寸法に沿って前進する該第１の導電部対の部材の間に配置され、前記第１のＲＦＩＤリーダアンテナは、離間している第１および第２のアンテナ部を備え、該第１のアンテナ部は、該第１の導電部対のうちの１つの該部材と電気的に相互接続され、該第２のアンテナ部は、該第１の導電部対のうちの別の該部材と電気的に相互接続される、請求項の３〜４のうちのいずれかに記載の電動注入器。
【請求項６】
第２のクランプ部材をさらに備える、請求項１〜５のうちのいずれかに記載の電動注入器。
【請求項７】
前記第２のクランプ部材は、固定位置に維持される、請求項６に記載の電動注入器。
【請求項８】
前記第２のクランプ部材は、前記クランプアセンブリの前記開放および閉鎖構成を画定することを少なくとも補助するように移動可能である、請求項６に記載の電動注入器。
【請求項９】
前記第２のクランプ部材は、旋回可能である、請求項の６および８のうちのいずれかに記載の電動注入器。
【請求項１０】
第２の旋回ピンをさらに備え、該第２の旋回ピンは、導電性であり、前記第２のクランプ部材の少なくとも１つのＲＦＩＤリーダアンテナと電気的に相互接続され、該第２のクランプ部材は、該第２の旋回ピン上に載置される、請求項６、８、および９のうちのいずれかに記載の電動注入器。
【請求項１１】
第２の電気接点をさらに備え、該第２の電気接点は、移動可能であり、前記第２の旋回ピンと係合するように付勢され、前記第２のクランプ部材のＲＦＩＤリーダアンテナの少なくとも１つと電気的に相互接続される、請求項１０に記載の電動注入器。
【請求項１２】
前記第２の旋回ピンは、第２の絶縁部および第２の導電部対を備えており、該第２の絶縁部は、該第２の旋回ピンの長さ寸法に沿って前進する該第２の導電部対の部材の間に配置され、前記第２のクランプ部材のＲＦＩＤリーダアンテナの少なくとも１つは、離間している第３および第４のアンテナ部を備え、該第３のアンテナ部は、該第２の導電部対の１つの該部材と電気的に相互接続され、該第４のアンテナ部は、該第２の導電部対の別の該部材と電気的に相互接続される、請求項１０〜１１のうちのいずれかに記載の電動注入器。
【請求項１３】
前記第１および第２のクランプ部材は、各々、共通軸の周りを移動可能である、請求項６および８〜１２のうちのいずれかに記載の電動注入器。
【請求項１４】
前記第１および第２のクランプ部材は、対向している関係で配置される、請求項６〜１３のうちのいずれかに記載の電動注入器。
【請求項１５】
前記第１のＲＦＩＤリーダアンテナの一部は、前記第１のクランプ部材上にあり、該第１のＲＦＩＤリーダアンテナの別の一部は、前記第２のクランプ部材上にある、請求項６〜１４のうちのいずれかに記載の電動注入器。
【請求項１６】
前記第２のクランプ部材上に第２のＲＦＩＤリーダアンテナをさらに備える、請求項６〜１４のうちのいずれかに記載の電動注入器。
【請求項１７】
前記第１および第２のＲＦＩＤリーダアンテナは、前記クランプアセンブリ内に位置し、および該クランプアセンブリが前記閉鎖構成にあるときに、前記電動注入器シリンジの前記筒に向かって突出する前記第１および第２のクランプ部材のそれぞれの表面上に配置される、請求項１６に記載の電動注入器。
【請求項１８】
前記第１および第２のＲＦＩＤリーダアンテナは、前記クランプアセンブリ内に位置し、および該クランプアセンブリが前記閉鎖構成にあるときに、前記電動注入器シリンジの前記フランジに向かって突出する前記第１および第２のクランプ部材のそれぞれの表面上に配置される、請求項１６に記載の電動注入器。
【請求項１９】
前記第１および第２のＲＦＩＤリーダアンテナは、自律的である、請求項１６〜１８のうちのいずれかに記載の電動注入器。
【請求項２０】
前記第１および第２のＲＦＩＤリーダアンテナは、前記クランプアセンブリが前記閉鎖構成にあるときに、単一のＲＦＩＤアンテナとして集合的に機能する、請求項１６〜１８のうちのいずれかに記載の電動注入器。
【請求項２１】
前記第１のＲＦＩＤリーダアンテナは、前記クランプアセンブリ内に位置し、および該クランプアセンブリが前記閉鎖構成にあるときに、前記電動注入器シリンジの前記筒に向かって突出する前記第１のクランプ部材の表面上に配置される、請求項１〜１５のうちのいずれかに記載の電動注入器。
【請求項２２】
前記第１のＲＦＩＤリーダアンテナは、前記クランプアセンブリ内に位置し、および該クランプアセンブリが前記閉鎖構成にあるときに、前記電動注入器シリンジの前記フランジに向かって突出する前記第１のクランプ部材の表面上に配置される、請求項１〜１５のうちのいずれかに記載の電動注入器。
【請求項２３】
前記第１のＲＦＩＤリーダアンテナと相互接続される可撓性コネクタをさらに備える、請求項１〜２および６〜２２のうちのいずれか１項に記載の電動注入器。
【請求項２４】
前記第１のクランプ部材の運動経路内に配置される第１の電気接点をさらに備えており、該第１の電気接点は、前記クランプアセンブリが前記開放構成にあるときに、前記第１のＲＦＩＤリーダアンテナから離間し、該第１の電気接点は、該クランプアセンブリが前記閉鎖構成にあるときに、該第１のＲＦＩＤリーダアンテナと係合する、請求項１〜２および６〜２２のいずれかに記載の電動注入器。
【請求項２５】
前記電動注入器シリンジは、それの前記開放構成にあるときに、該シリンジクランプアセンブリ内に設置され、および該シリンジクランプアセンブリから除去され得、設置された該電動注入器シリンジは、それの該閉鎖構成にあるときに、該シリンジクランプアセンブリによって拘束される、請求項１〜２４のうちのいずれかに記載の電動注入器。
【請求項２６】
前記プランジャは、軸経路に沿って移動可能である、請求項１〜２５のうちのいずれかに記載の電動注入器。
【請求項２７】
前記シリンジプランジャ駆動アセンブリは、二方向運動が可能である、請求項１〜２６のうちのいずれかに記載の電動注入器。
【請求項２８】
前記少なくとも１つのＲＦＩＤタグは、前記電動注入器シリンジの前記筒上にある、請求項１７のうちのいずれかに記載の電動注入器。
【請求項２９】
前記少なくとも１つのＲＦＩＤタグは、該電動注入器シリンジのフランジ上にある、請求項１８のうちのいずれかに記載の電動注入器。
【請求項３０】
前記フランジは、前記電動注入器シリンジの近位端上の前記シリンジ筒に対して外向きに延在する、請求項２９に記載の電動注入器。
【発明の詳細な説明】
【技術分野】
【０００１】
（関連出願の相互参照）
本願は、米国仮特許出願第６１／０９０，００８号（名称「ＰＯＷＥＲ  ＩＮＪＥＣＴＯＲ  ＳＹＲＩＮＧＥ  ＣＬＡＭＰ  ＡＳＳＥＭＢＬＹ  ＷＩＴＨ  ＲＦＩＤ  ＡＮＴＥＮＮＡ  ＲＥＡＤＥＲ」、２００８年８月１９日出願）の優先権を主張する。
【０００２】
（発明の分野）
本発明は、概して、電動注入器の分野に関し、より具体的には、電動注入器のパワーヘッドとシリンジとの間に通信リンクを提供することに関する。
【背景技術】
【０００３】
種々の医療処置では、１つ以上の医用流体を患者に注入することが必要とされる。医療撮像処置は、多くの場合、可能性として、生理食塩水または他の流体とともに造影剤を患者に注入することを含む。他の医療処置は、治療目的で１つ以上の流体を患者に注入することを含む。電動注入器をこれらの種類の用途に使用し得る。
【０００４】
電動注入器は、概して、一般的にパワーヘッドと呼ばれるものを含む。１つ以上のシリンジが、種々の方式で（例えば、着脱式、後方装填式、前方装填式、側面装填式）パワーヘッドに装着され得る。各シリンジは、典型的には、シリンジプランジャ、ピストン、またはその同等物として特徴付けられ得るものを含む。このようなシリンジプランジャの各々は、シリンジ駆動体の動作によって、関連するシリンジプランジャがシリンジのバレルの内部において、およびシリンジのバレルに対して軸方向に前進するように、パワーヘッドに組み込まれる適切なシリンジ駆動体と相互作用する（例えば、接触および／または一時的に相互連結する）ように設計される。１つの典型的なシリンジ駆動体は、ネジ式リードまたは駆動ネジ上に装着されるラム形式である。一つの回転方向への駆動ネジの回転が、一つの軸方向に関連ラムを前進させる一方で、反対の回転方向への駆動ネジの回転は、反対の軸方向に関連ラムを前進させる。
【０００５】
ＲＦＩＤタグは、種々の用途においてますます一般的になっている。ＲＦＩＤタグは、電動注入器関連を含む医療用途に関連して対応している。例えば、ＲＦＩＤタグを電動注入器シリンジ上に配置し、少なくとも一定の情報をこのようなＲＦＩＤタグ上に符号化することが少なくとも提案されている。電動注入器上の、または電動注入器に関連付けられるＲＦＩＤリーダアンテナは、このシリンジ装着型ＲＦＩＤタグを読み取るために使用され得る。
【発明の概要】
【課題を解決するための手段】
【０００６】
本発明の第１の態様は、電動注入器シリンジのクランプアセンブリ（以下、「クランプアセンブリ」と称される）によって具現化される。クランプアセンブリは、第１のＲＦＩＤリーダアンテナを有する第１のクランプ部材を含む。第１のクランプ部材は、クランプアセンブリの開放および閉鎖構成を画定することを少なくとも補助するように移動可能である。第１のクランプ部材をある位置に移動させることは、クランプアセンブリの開放構成と関連し得る（例えば、電動注入器シリンジがクランプアセンブリ内に設置されること、またはそこから除去されることを可能にするため）。第１のクランプ部材を別の位置に移動させることは、クランプアセンブリの閉鎖構成と関連していてもよい（例えば、クランプアセンブリが、設置された電動注入器シリンジと近接して離間した関係で係合するおよび／または配置される場合、クランプアセンブリが、設置された電動注入器シリンジを少なくともいくつかの方式で拘束する場合）。
【０００７】
本発明の第１の態様に関連して記述される特徴の種々の改良点が存在する。さらなる特徴も、本発明の上記の第１の態様に組み込まれてもよい。これらの改良点および追加特徴は、個別に、または任意の組み合わせで存在してもよい。第１のクランプ部材は、（例えば、それぞれ、電動注入器シリンジのクランプアセンブリの開放および閉鎖構成の）第１の位置と第２の位置との間を含む、任意の適切な方式で移動させられてもよい。一実施形態において、第１のクランプ部材は、旋回運動を利用することができる。例えば、第１のクランプ部材は、第１の旋回ピンに載置されてもよい。第１のＲＦＩＤリーダアンテナへの電力は、この第１の旋回ピンを通って提供されてもよい。
【０００８】
上記第１の旋回ピンは、導電性材料または材料の組み合わせで形成されてもよく、第１のＲＦＩＤリーダアンテナと任意の適切な方式で電気的に相互接続されてもよい。例えば、１つ以上の電気トレース、ワイヤ等が、第１のＲＦＩＤリーダアンテナから第１の旋回ピンに延在することができる。別のオプションは、（例えば、少なくとも概して「ポゴピン」等の形態である）１つ以上の移動可能な電気接点を、（例えば、ばね等の、任意の適切な種類の１つ以上の付勢部材を介して）第１の旋回ピンと係合するように付勢させることであり、各々のそのような電気接続は、第１のＲＦＩＤリーダアンテナと任意の適切な方式で（例えば、第１のＲＦＩＤリーダアンテナから関連する移動可能な電気接点に延在する１つ以上の電気トレース、ワイヤ等を介して）電気的に相互接続されてもよい。第１のクランプ部材が、互いに離間した第１および第２のＲＦＩＤリーダアンテナ部を含む場合、１）第１の旋回ピンは、第１の絶縁部および第１の導電部対を含んでもよく、第１の絶縁部は、第１の旋回ピンによって画定される旋回軸に沿って前進する第１の導電部対の２つの部材の間に配置される（枢同軸は第１の旋回ピンの長さ寸法と同じ）、２）第１の導電部対の部材のうちの１つ（第１の旋回ピン）は、第１のＲＦＩＤリーダアンテナ部と（例えば、第１の旋回ピンと係合するように付勢される第１の移動可能な電気接点を介して）電気的に相互接続されてもよい、３）第１の導電部対の部材のうちの他方（第１の旋回ピン）は、第２のＲＦＩＤリーダアンテナ部と（例えば、第１の旋回ピンと係合するように付勢される第２の移動可能な電気接点を介して）電気的に相互接続してもよい。
【０００９】
電動注入器シリンジのクランプアセンブリは、第２のクランプ部材をさらに含んでもよい。この第２のクランプ部材は、固定位置で維持されてもよい（例えば、不動部材）。別のオプションは、第２のクランプ部材が移動可能な構造であることである。第２のクランプ部材は、クランプアセンブリの開放構成と関連するある位置に移動されてもよい（例えば、電動注入器シリンジがクランプアセンブリ内に設置されること、またはそこから除去されることを可能にするため）。第２のクランプ部材は、クランプアセンブリの閉鎖構成と関連する別の位置に移動されてもよい（例えば、第１および第２のクランプ部材が、設置された電動注入器シリンジと近接して離間した関係で係合するおよび／または配置される場合、クランプアセンブリが、設置された電動注入器シリンジを少なくともいくつかの方式で拘束する場合）。第１および第２のクランプ部材は独立して移動可能であってもよく、第１および第２のクランプ部材は、（例えば、任意の適切なサイズ、形状、構成、および／または種類の単一のアクチュエータの動作を介して）同時に移動されてもよく、第１および第２のクランプ部材は連続的に移動されてもよく、またはそれらの組み合わせであってもよい。一実施形態において、第１および第２のクランプ部材は、少なくとも、概して、共通の軸の周囲で移動する。
【００１０】
第２のクランプ部材は、（例えば、それぞれ、電動注入器シリンジのクランプアセンブリの開放構成および閉鎖構成の）第３の位置と第４の位置の間を含む、任意の適切な方式で移動させられてもよい。一実施形態において、第２のクランプ部材は、旋回運動を利用することができる。例えば、第２のクランプ部材は、第２の旋回ピンに載置されてもよい。第２のクランプ部材によって組み込まれたＲＦＩＤリーダアンテナ（例えば、第１のＲＦＩＤリーダアンテナの一部、別個の第２のＲＦＩＤリーダアンテナ）への電力は、例えば、第１の旋回ピンに関連して上述したのと同じ方式で、この第２の旋回ピンを通して提供されてもよい。
【００１１】
第１および第２のクランプ部材は、対向関係で配置されると特徴付けられてもよい。例えば、第１のクランプ部材および第２のクランプ部材は、設置された電動注入器シリンジの長さ寸法に沿った共通の場所に配置されてもよく、第１のクランプ部材は、少なくとも概して電動注入器シリンジの円周の約２分の１に沿って延在し、第２のクランプ部材は、少なくとも概して電動注入器シリンジの円周のおよそ反対側の半分に沿って延在する。他の構成が適切であってもよい。
【００１２】
第１のＲＦＩＤリーダアンテナは、完全に第１のクランプ部材上に配置されてもよい。別のオプションは、第１のＲＦＩＤリーダアンテナの第１の部分が完全に第１のクランプ部材上に配置され、第１のＲＦＩＤリーダアンテナの第２の部分が完全に第２のクランプ部材上に配置されることである。この場合、第１および第２の部分は、（例えば、クランプアセンブリがその閉鎖構成にあるときに）集合的に単一の第１のＲＦＩＤリーダアンテナとして機能することができる。またクランプアセンブリは、第２のＲＦＩＤリーダアンテナを含むことができ、第１のＲＦＩＤリーダアンテナは、完全に第１のクランプ部材上に配置され、第２のＲＦＩＤリーダアンテナは、完全に第２のクランプ部材上に配置され、第１および第２のＲＦＩＤリーダアンテナは、自律的または独立的に動作可能である。
【００１３】
電動注入器シリンジのクランプアセンブリは、任意の適切な配置で配置される単一のクランプ部材または複数のクランプ部材を含む、任意の適切な数のクランプ部材を含むことができる。第１のクランプ部材に加えた各々のそのようなクランプ部材は、１）移動可能な構造であってもよいか、または静止したままであってもよい、２）ＲＦＩＤリーダアンテナを含むか、または含まなくてもよい（そのようなＲＦＩＤリーダアンテナの全部または一部のみを含む場合を含む）、３）それらのすべての組み合わせを含む。
【００１４】
クランプアセンブリによって利用される各ＲＦＩＤリーダアンテナは、任意の適切な場所でクランプ部材に組み込まれてもよい。一実施形態において、ＲＦＩＤリーダアンテナは、（例えば、それがクランプアセンブリ内に位置し、クランプアセンブリがその閉鎖構成にあるときに）設置された電動注入器シリンジの筒に向かって突出するクランプ部材の表面に組み込まれる。別の実施形態において、ＲＦＩＤリーダアンテナは、（例えば、それがクランプアセンブリ内に位置し、クランプアセンブリがその閉鎖構成にあるときに）設置された電動注入器シリンジのフランジに向かって突出するクランプ部材の表面上に組み込まれる。このフランジは、設置された電動注入器シリンジの近位端またはその付近に配置されてもよく、放出ノズルは、電動注入器シリンジの遠位端またはその付近に配置されてもよい。
【００１５】
電力は、電動注入器シリンジのクランプアセンブリのクランプ部材によって組み込まれたＲＦＩＤリーダアンテナに任意の適切な方式で提供されてもよい。例えば、また上述したように、電力は、クランプ部材が載置されてもよい旋回ピンを通してＲＦＩＤリーダアンテナに提供されてもよい。別のオプションは、可撓性コネクタを利用することである。さらに別のオプションは、クランプアセンブリをその開放構成から閉鎖構成に変更するときにクランプ部材が移動する経路内に、（任意の適切なサイズ、形状、構成、および／または種類の）少なくとも１つの電気接点を配置することである。各クランプ部材は、それ自体の電気接点の「セット」を有することができる（各々のそのような「セット」は、少なくとも１つの電気接点を含む）。一対の隣接するクランプ部材は、少なくとも１つの共通の電気接点を共有することができる。例えば、そのような一対のうちの１つまたは両方のクランプ部材は、クランプアセンブリをその閉鎖構成内に配置し、共通の電気接点または一連の複数の電気接点に係合するように、移動することができる。
【００１６】
電動注入器シリンジのクランプアセンブリの各ＲＦＩＤリーダアンテナは、任意の適切なサイズ、形状、構成、および／または種類のアンテナであってもよい。各ＲＦＩＤリーダアンテナを電動注入器シリンジのクランプアセンブリと一体化する任意の方法もまた、利用されてもよい。一実施形態は、電動注入器シリンジのクランプアセンブリの少なくとも１つのクランプ部材内に成形されるＲＦＩＤリーダアンテナを有する。別の実施形態は、電動注入器シリンジのクランプアセンブリの少なくとも１つのクランプ部材上に直接印刷されるＲＦＩＤリーダアンテナを有する。さらに別の実施形態は、適切な基板上に印刷されるＲＦＩＤリーダアンテナを有し、この基板は、次いで、電動注入器シリンジのクランプアセンブリの少なくとも１つのクランプ部材に積層されるか、または他の方法で接着される。
【００１７】
電動注入器シリンジのクランプアセンブリは、任意の適切な電動注入器によって利用されてもよく、また任意の適切な方式で一体化されてもよい。一実施形態において、シリンジのクランプアセンブリは、電動注入器のパワーヘッド上に載置される。別の実施形態において、シリンジのクランプアセンブリは、一方で電動注入器のパワーヘッドに（例えば、手で、またはいずれのツールも使用せずに）着脱可能に載置されてもよい面板の構造内に組み込まれる。さらに別の実施形態において、シリンジのクランプアセンブリは、一方で電動注入器のパワーヘッドに載置されるアダプタの構造内に組み込まれる。
【００１８】
本発明の第２の態様は、電動注入器シリンジ、シリンジプランジャ駆動アセンブリ、第１のクランプ部材、および第１のＲＦＩＤリーダアンテナを含む、電動注入器によって具現化される。電動注入器シリンジは、シリンジ筒、シリンジ筒内に配置され、かつシリンジ筒に対して移動可能であるプランジャ、および少なくとも１つのＲＦＩＤタグを含む。シリンジプランジャ駆動アセンブリは、シリンジプランジャと相互作用して、同プランジャを少なくとも１つの方向に移動させる（例えば、電動注入器シリンジから流体を放出するため）。第１のクランプ部材は、（例えば、第１のクランプ部材を含むクランプアセンブリの開放構成と関連してもよい第１の位置（例えば、電動注入器シリンジが電動注入器のパワーヘッドに設置されること、またはそこから除去されることを可能にするため）と記述のクランプアセンブリの閉鎖構成と関連し得る第２の位置（例えば、各クランプ部材が、設置された電動注入器シリンジと近接して離間した関係で係合するおよび／または配置される）との間で）移動可能である。少なくとも１つのＲＦＩＤリーダアンテナが、第１のクランプ部材によって組み込まれる。
【００１９】
本発明の第２の態様に関連して記述される特徴の種々の改良点が存在する。さらなる特徴も、本発明の第２の態様に組み込まれ得る。これらの改良点および追加特徴は、個別に、または任意の組み合わせで存在し得る。最初に、電動注入器は、第１の態様に関連して上述した電動注入器シリンジのクランプアセンブリを利用することができ、第２の態様の第１のクランプ部材は第１の態様の第１のクランプ部材と同じである。この電動注入器シリンジのクランプアセンブリは、任意の適切な方式で電動注入器内と一体化されてもよい。一実施形態において、シリンジのクランプアセンブリは、電動注入器のパワーヘッド上に載置される。別の実施形態において、シリンジのクランプアセンブリは、一方で、電動注入器のパワーヘッドに（例えば、手で、またはいずれのツールも使用せずに）着脱可能に載置されてもよい面板の構造内に組み込まれる。さらに別の実施形態において、シリンジのクランプアセンブリは、一方で、電動注入器のパワーヘッドに載置されるアダプタの構造内に組み込まれる。
【００２０】
電動注入器シリンジは、任意の適切なサイズ、形状、構成、および／または種類のシリンジであってもよい（例えば、事前充填（既に流体が充填された状態のシリンジが最終使用設備に送達される）、空（おそらくは空気または任意の他の適切な気体もしくは気体の組み合わせで「充填」され、所望の流体が最終使用設備でシリンジに搭載される））。電動注入器は、各シリンジに、電動注入器上で設置されるべき別個の駆動系部を提供することができ、各々のそのような駆動系部はシリンジプランジャ駆動アセンブリの一部であってもよい。駆動系部は、ネジ山付き主ネジまたは駆動ネジ等の形態、および駆動ネジとラムとの間のある回転方向への相対回転が、ラムを駆動ネジに沿ってある軸方向に移動させ、かつ駆動ネジとラムとの間の反対の回転方向への相対回転が、ラムを駆動ネジに沿って反対の軸方向に移動させるような方式において、（例えば、中間のネジ山付きナットを介して）駆動ネジ上に載置されるラムの形態であってもよい。
【００２１】
任意の適切な駆動源は、特定のシリンジと関連する電動注入器駆動系部に、記述の相対回転運動を提供することができる。各シリンジの電動注入器駆動系部は、共通の駆動源によって電力供給されてもよいか、または、各電動注入器駆動系部が別個の独立した駆動源によって電力供給されてもよい。電動注入器によって利用される各々のそのような駆動源は、ブラシ付きもしくはブラシレス電気モータ、油圧モータ、空気モータ、圧電モータ、またはステッピングモータ等、任意の適切なサイズ、形状、構成、および／または種類の１つ以上のモータの形態であってもよい。
【００２２】
任意の種類の情報が、電動注入器シリンジによって利用される各ＲＦＩＤタグに記憶されてもよい。ＲＦＩＤタグの任意の適切な部材が、電動注入器シリンジによって利用されてもよい。複数のＲＦＩＤタグが、任意の適切な配設で配置されてもよい。シリンジと関連する各ＲＦＩＤタグは、シリンジ上の任意の適切な場所に配置されてもよい。一実施形態において、ＲＦＩＤタグは、記述のシリンジ筒上にある。一実施形態において、ＲＦＩＤタグは、シリンジの近位端またはその付近に配置されてもよく、かつシリンジ筒から外向きに延在することができるフランジ上にある。流体は、電動注入器シリンジの遠位端から放出されてもよい。
【００２３】
電動注入器は、任意の適切なサイズ、形状、構成、および／または種類を有してもよい。電動注入器は、任意の適切なサイズ、形状、構成、および／または種類の１つ以上のシリンジプランジャ駆動アセンブリまたは駆動体を利用してもよく、この場合、このような各シリンジプランジャ駆動体または駆動アセンブリは、少なくとも二方向移動（例えば、（例えば、放出ストロークのために、軸経路に沿ってシリンジプランジャを移動させるための）流体を放出するための第１の方向の移動、（例えば、シリンジプランジャをシリンジ放出ノズルから離れて軸方向に後退させるために）シリンジ内の流体の装填または装填に適応するため、または後続の流体放出動作のための位置に戻るための第２の方向の運動）が可能であり、このような各シリンジプランジャ駆動体または駆動アセンブリは、（例えば、流体を放出するように）少なくとも１つの方向にシリンジプランジャを前進させることができるように、任意の適切な方式で（例えば、機械的接触によって、（機械的または別様の）適切な結合によって）、その対応するシリンジプランジャと相互作用し得る。
【００２４】
電動注入器は、任意の適切な医療用途（例えば、コンピュータ断層撮影法またはＣＴ映像法、磁気共鳴映像法またはＭＲＩ、単光子放射型コンピュータ断層撮影法またはＳＰＥＣＴ撮像、陽電子放射型コンピュータ断層撮影法またはＰＥＴ撮像、Ｘ線映像法、血管造影法、光学映像法、超音波映像法）を含むがこれらに限定されない、１つ以上の医用流体の送達が所望される任意の適切な用途に、任意の適切な方式で（例えば、患者等の流体標的への注入を介して）使用されてもよい。電動注入器は、適切な撮像システム（例えば、ＣＴスキャナ）等の、任意の構成要素または構成要素の組み合わせと併せて使用されてもよい。例えば、情報は、任意のこのような電動注入器と１つ以上の他の構成要素との間で伝達され得る（例えば、スキャン遅延情報、注入開始信号、注入速度）。
【００２５】
任意の適切な数のシリンジが、任意の適切な方式で（例えば、着脱式、前方装填式、後方装填式、側面装填式）、電動注入器とともに利用されてもよく、任意の適切な医用流体が、電動注入器の所与のシリンジから放出されてもよく（例えば、造影剤、放射性医薬品、生理食塩水、およびそれらの任意の組み合わせ）、任意の適切な流体が、任意の適切な方式で（例えば、連続的に、同時に）多重シリンジ電動注入器構成から放出されてもよく、またはそれらの任意の組み合わせである。一実施形態では、電動注入器の動作によってシリンジから放出される流体は、導管（例えば、医用管セット）内に方向付けられ、その場合、この導管は、任意の適切な方式でシリンジと流体的に相互連結され、流体を所望の位置に（例えば、注入のために患者に挿入されるカテーテルに）方向付ける。複数のシリンジが、（例えば、単一の注入部位に提供するために）共通導管内に放出してもよく、または１つのシリンジが、（例えば、１つの患者の注入部位に提供するために）１つの導管内に放出してもよい一方で、別のシリンジは、（例えば、異なる注入部位に提供するために）異なる導管内に放出してもよい。一実施形態では、各シリンジは、シリンジバレルと、シリンジバレル内に配置され、かつシリンジバレルに対して移動可能であるプランジャとを含む。このプランジャは、シリンジプランジャ駆動アセンブリが、少なくとも１つの方向に、および可能性として、は２つの異なる反対方向に、プランジャを前進させることができるように、電動注入器のシリンジプランジャ駆動アセンブリと界面接触してもよい。
例えば、本願発明は以下の項目を提供する。
（項目１）
電動注入器シリンジクランプアセンブリであって、
第１のクランプ部材であって、該第１のクランプ部材は、該クランプアセンブリの開放および閉鎖構成を画定することを少なくとも補助するように移動可能である、第１のクランプ部材を備え、該第１のクランプ部材は、該第１のクランプ部材上に第１のＲＦＩＤリーダアンテナを備える、アセンブリ。
（項目２）
前記第１のクランプ部材は、第１の位置と第２の位置との間で旋回可能である、項目１に記載のアセンブリ。
（項目３）
第１の旋回ピンをさらに備え、該第１の旋回ピンは、導電性であり、前記第１のＲＦＩＤリーダアンテナと電気的に相互接続され、前記第１のクランプ部材は、該第１の旋回ピン上に載置される、項目１〜２のうちのいずれかに記載のアセンブリ。
（項目４）
第１の電気接点をさらに備え、該第１の電気接点は、移動可能であり、前記第１の旋回ピンと係合するように付勢され、前記第１のＲＦＩＤリーダアンテナと電気的に相互接続される、項目３に記載のアセンブリ。
（項目５）
前記第１の旋回ピンは、第１の絶縁部および第１の導電部対を備えており、該第１の絶縁部は、該第１の旋回ピンの長さ寸法に沿って前進する該第１の導電部対の部材の間に配置され、前記第１のＲＦＩＤリーダアンテナは、離間している第１および第２のアンテナ部を備え、該第１のアンテナ部は、該第１の導電部対のうちの１つの該部材と電気的に相互接続され、該第２のアンテナ部は、該第１の導電部対のうちの別の該部材と電気的に相互接続される、項目の３〜４のうちのいずれかに記載のアセンブリ。
（項目６）
第２のクランプ部材をさらに備える、項目１〜５のうちのいずれかに記載のアセンブリ。
（項目７）
前記第２のクランプ部材は、固定位置に維持される、項目６に記載のアセンブリ。
（項目８）
前記第２のクランプ部材は、前記クランプアセンブリの前記開放および閉鎖構成を画定することを少なくとも補助するように移動可能である、項目６に記載のアセンブリ。
（項目９）
前記第２のクランプ部材は、旋回可能である、項目の６および８のうちのいずれかに記載のアセンブリ。
（項目１０）
第２の旋回ピンをさらに備え、該第２の旋回ピンは、導電性であり、前記第２のクランプ部材の少なくとも１つのＲＦＩＤリーダアンテナと電気的に相互接続され、該第２のクランプ部材は、該第２の旋回ピン上に載置される、項目６、８、および９のうちのいずれかに記載のアセンブリ。
（項目１１）
第２の電気接点をさらに備え、該第２の電気接点は、移動可能であり、前記第２の旋回ピンと係合するように付勢され、前記少なくとも１つのＲＦＩＤリーダアンテナと電気的に相互接続される、項目１０に記載のアセンブリ。
（項目１２）
前記第２の旋回ピンは、第２の絶縁部および第２の導電部対を備えており、該第２の絶縁部は、該第２の旋回ピンの長さ寸法に沿って前進する該第２の導電部対の部材の間に配置され、前記少なくとも１つのＲＦＩＤリーダアンテナは、離間している第３および第４のアンテナ部を備え、該第３のアンテナ部は、該第２の導電部対の１つの該部材と電気的に相互接続され、該第４のアンテナ部は、該第２の導電部対の別の該部材と電気的に相互接続される、項目１０〜１１のうちのいずれかに記載のアセンブリ
（項目１３）
前記第１および第２のクランプ部材は、各々、共通軸の周りを移動可能である、項目６および８〜１２のうちのいずれかに記載のアセンブリ。
（項目１４）
前記第１および第２のクランプ部材は、対向している関係で配置される、項目６〜１３のうちのいずれかに記載のアセンブリ。
（項目１５）
前記第１のＲＦＩＤリーダアンテナの一部は、前記第１のクランプ部材上にあり、該第１のＲＦＩＤリーダアンテナの別の一部は、前記第２のクランプ部材上にある、項目６〜１４のうちのいずれかに記載のアセンブリ。
（項目１６）
前記第２のクランプ部材上に第２のＲＦＩＤリーダアンテナをさらに備える、項目６〜１４のうちのいずれかに記載のアセンブリ。
（項目１７）
前記第１および第２のＲＦＩＤリーダアンテナは、前記クランプアセンブリ内に位置し、および該クランプアセンブリが前記閉鎖構成にあるときに、電動注入器シリンジの筒に向かって突出する前記第１および第２のクランプ部材のそれぞれの表面上に配置される、項目１６に記載のアセンブリ。
（項目１８）
前記第１および第２のＲＦＩＤリーダアンテナは、前記クランプアセンブリ内に位置し、および該クランプアセンブリが前記閉鎖構成にあるときに、電動注入器シリンジのフランジに向かって突出する前記第１および第２のクランプ部材のそれぞれの表面上に配置される、項目１６に記載のアセンブリ。
（項目１９）
前記第１および第２のＲＦＩＤリーダアンテナは、自律的である、項目１６〜１８のうちのいずれかに記載のアセンブリ。
（項目２０）
前記第１および第２のＲＦＩＤリーダアンテナは、前記クランプアセンブリが前記閉鎖構成にあるときに、単一のＲＦＩＤアンテナとして集合的に機能する、項目１６〜１８のうちのいずれかに記載のアセンブリ。
（項目２１）
前記第１のＲＦＩＤリーダアンテナは、前記クランプアセンブリ内に位置し、および該クランプアセンブリが前記閉鎖構成にあるときに、電動注入器シリンジの筒に向かって突出する前記第１のクランプ部材の表面上に配置される、項目１〜１５のうちのいずれかに記載のアセンブリ。
（項目２２）
前記第１のＲＦＩＤリーダアンテナは、前記クランプアセンブリ内に位置し、および該クランプアセンブリが前記閉鎖構成にあるときに、電動注入器シリンジのフランジに向かって突出する前記第１のクランプ部材の表面上に配置される、項目１〜１５のうちのいずれかに記載のアセンブリ。
（項目２３）
前記第１のＲＦＩＤリーダアンテナと相互接続される可撓性コネクタをさらに備える、項目１〜２および６〜２２のうちのいずれか１項に記載のアセンブリ。
（項目２４）
前記第１のクランプ部材の運動経路内に配置される第１の電気接点をさらに備えており、該第１の電気接点は、該第１のクランプ部材が第１の位置にあるときに、前記第１のＲＦＩＤリーダアンテナから離間し、該第１の電気接点は、該第１のクランプ部材が第２の位置にあるときに、該第１のＲＦＩＤリーダアンテナと係合する、項目１〜２および６〜２２のいずれかに記載のアセンブリ。
（項目２５）
電動注入器シリンジは、それの前記開放構成にあるときに、該電動注入器シリンジのクランプアセンブリ内に設置され、および該クランプアセンブリから除去され得、設置された電動注入器シリンジは、それの該閉鎖構成にあるときに、該電動注入器シリンジのクランプアセンブリによって拘束される、項目１〜２４のうちのいずれかに記載のアセンブリ。
（項目２６）
電動注入器であって、
電動注入器シリンジであって、シリンジ筒、該シリンジ筒内に配置され、該シリンジ筒に対して移動可能であるプランジャ、および少なくとも１つのＲＦＩＤタグを備える、電動注入器シリンジと、
シリンジプランジャ駆動アセンブリであって、該プランジャと相互作用して該プランジャを該シリンジ筒に対して移動させる電動式駆動源を備える、シリンジプランジャ駆動アセンブリと、
第１のクランプ部材であって、該第１のクランプ部材は、移動可能であり、該電動注入器シリンジと近接して離間した関係または接触した状態のうちの少なくとも１つで配置され、該第１のクランプ部材は、第１のＲＦＩＤリーダアンテナを備える、第１のクランプ部材と
を備える、電動注入器。
（項目２７）
前記プランジャは、軸経路に沿って移動可能である、項目２６に記載の電動注入器。
（項目２８）
前記シリンジプランジャ駆動アセンブリは、二方向運動が可能である、項目２６〜２７のうちのいずれかに記載の電動注入器。
（項目２９）
第２のクランプ部材をさらに備える、項目２６〜２８のうちのいずれかに記載の電動注入器。
（項目３０）
項目１、１７、および２１のうちのいずれかに記載の電動注入器シリンジのクランプアセンブリをさらに備え、前記少なくとも１つのＲＦＩＤタグは、該電動注入器シリンジの前記筒上にある、項目２６〜２９のうちのいずれかに記載の電動注入器。
（項目３１）
項目１、１８、および２２のうちのいずれか一項に記載の電動注入器シリンジのクランプアセンブリをさらに備え、前記少なくとも１つのＲＦＩＤタグは、該電動注入器シリンジのフランジ上にある、項目２６〜２９のうちのいずれかに記載の電動注入器。
（項目３２）
前記フランジは、前記電動注入器シリンジの近位端上の前記シリンジ筒に対して外向きに延在する、項目３１に記載の電動注入器。
（項目３３）
項目１〜２５のうちのいずれか一項に記載の電動注入器シリンジのクランプアセンブリをさらに備える、項目２６〜２９のうちのいずれかに記載の電動注入器。
【図面の簡単な説明】
【００２６】
【図１Ａ】図１Ａは、電動注入器の一実施形態の概略図である。
【図１Ｂ】図１Ｂは、その前方範囲に取り付けられるシリンジを有する、注入器の注入器ヘッドの斜視図である。
【図２Ａ】図２Ａは、シリンジ装着具の一例示的実施形態の分解図である。
【図２Ｂ】図２Ｂは、組立状態における図２Ａのシリンジ装着具の斜視図である。
【図３Ａ】図３Ａは、図２Ｂのシリンジ装着具の切断図であり、特に、シリンジ装着具のアクチュエータを示す。
【図３Ｂ】図３Ｂは、図３Ａの線３Ｂ〜３Ｂに沿った断面図である。
【図４Ａ】図４Ａは、図２Ｂのシリンジ装着具の切断図であり、特に、開放位置におけるシリンジ装着具の第１および第２の可動部材を示す。
【図４Ｂ】図４Ｂは、図４Ａの線４Ｂ〜４Ｂに沿った断面図であり、駆動ラムのプランジャ結合要素に近接して位置しているシリンジプランジャの結合機構も示す。
【図５Ａ】図５Ａは、図２Ｂのシリンジ装着具の切断図であり、特に、第１および第２の可動部材が閉鎖位置にあり、かつシリンジを係合することを示す。
【図５Ｂ】図５Ｂは、図５Ａの線５Ｂ〜５Ｂに沿った断面図であり、駆動ラムのプランジャ結合要素と係合するシリンジプランジャの裏側上の結合機構も示す。
【図６】図６は、代表的な電動注入器シリンジの近位部分に沿った、電動注入器シリンジのクランプアセンブリの一実施形態の概略透視図である。
【図７】図７は、図６の電動注入器シリンジのクランプアセンブリに利用されてもよい、１つのＲＦＩＤリーダアンテナのレイアウトの平面図である（端部表面が図示されている）。
【図８Ａ】図８Ａは、図６の電動注入器シリンジのクランプアセンブリに利用されてもよい、別のＲＦＩＤリーダアンテナのレイアウトの平面図である。（内側表面が図示されている）。
【図８Ｂ】図８Ｂは、図６の電動注入器シリンジのクランプアセンブリに利用されてもよい、別のＲＦＩＤリーダアンテナのレイアウトの平面図である（内側表面が図示されている）。
【図９】図９は、旋回ピンを使用して電動注入器シリンジのクランプアセンブリのＲＦＩＤリーダアンテナに電力を提供するためのオプションの概略図である。
【図１０】図１０は、ＲＦＩＤリーダアンテナに電力を提供するための別のオプションとともに図６の電動注入器シリンジのクランプアセンブリに利用することのできる、別のＲＦＩＤリーダアンテナのレイアウトの概略図である。
【発明を実施するための形態】
【００２７】
図１Ａは、パワーヘッド２１２を有する電動注入器２１０の一実施形態の概略図を提示する。１つ以上のグラフィカルユーザインターフェースまたはＧＵＩ２１１が、パワーヘッド２１２に関連付けられ得る。各ＧＵＩ２１１は、（１）任意の適切なサイズ、形状、構成、および／または種類を有してもよく、（２）任意の適切な方式でパワーヘッド２１２と動作可能に相互連結されてもよく、（３）任意の適切な場所に配置されてもよく、（４）電動注入器２１０の動作の１つ以上の側面の制御、電動注入器２１０の動作に関連付けられる１つ以上のパラメータの入力／編集、および適切な情報（例えば、電動注入器１０の動作に関連する情報）の表示である機能のうちの１つまたは任意の組み合わせを提供するように構成されてもよく、あるいは（５）前述の任意の組み合わせである。任意の適切な数のＧＵＩ２１１を利用してもよい。一実施形態では、電動注入器２１０は、パワーヘッド２１２から分離されるが、パワーヘッド２１２と通信するコンソールによって組み込まれるＧＵＩ２１１を含む。別の実施形態では、電動注入器２１０は、パワーヘッド２１２の一部であるＧＵＩ２１１を含む。さらに別の実施形態では、電動注入器２１０は、パワーヘッド２１２と通信する別々のコンソール上で一方のＧＵＩ２１１を利用し、また、パワーヘッド２１２上にある別のＧＵＩ２１１も利用する。各ＧＵＩ２１１は、同じ機能性または一組の機能性を提供し得るか、またはＧＵＩ２１１は、そのそれぞれの機能性に関して、少なくともある点で異なってもよい。
【００２８】
シリンジ２２８は、このパワーヘッド２１２上に設置されてもよく、設置される場合、電動注入器２１０の一部と考えられ得る。注入処置によっては、比較的高い圧力がシリンジ２２８内に生成される場合がある。この点に関し、圧力ジャケット２２６内にシリンジ２２８を配置することが望ましくてもよい。圧力ジャケット２２６は、典型的には、パワーヘッド２１２上にシリンジ２２８を設置するステップの一部として、またはそのステップの後に、シリンジ２２８をその中に配置可能にする方式で、パワーヘッド２１２と関連付けられる。同圧力ジャケット２２６は、典型的には、複数の注入処置のために種々のシリンジ２２８を圧力ジャケット２２６内に位置付け、そこから除去する際に、パワーヘッド２１２と関連付けられたままである。電動注入器２１０が低圧注入のために構成／利用される場合、および／または電動注入器２１０とともに利用されるシリンジ２２８が、圧力ジャケット２２６により提供される追加支持なしで、高圧注入に耐えるのに十分な耐久性を有する場合に、電動注入器２１０は、圧力ジャケット２２６を排除してもよい。いずれの場合であっても、シリンジ２２８から放出される流体は、任意の適切なサイズ、形状、構成、および／または種類の導管２３８の中へ方向付けられてもよく、これは、任意の適切な方式でシリンジ２２８と流体的に相互連結されてもよく、かつ流体を任意の適切な場所に（例えば、患者に）方向付けてもよい。
【００２９】
パワーヘッド２１２は、シリンジ２２８から流体を放出するためにシリンジ２２８（例えば、そのプランジャ２３２）と相互作用（例えば、界面接触）する、シリンジプランジャ駆動アセンブリまたはシリンジプランジャ駆動体２１４を含む。このシリンジプランジャ駆動アセンブリ２１４は、駆動出力部２１８（例えば、回転可能な駆動ネジ）に動力供給する、駆動源２１６（例えば、任意の適切なサイズ、形状、構成、および／または種類のモータ、任意選択の歯車装置、およびその同等物）を含む。ラム２２０は、駆動出力２１８によって、適切な経路（例えば、軸方向）に沿って前進させられ得る。ラム２２０は、以下に論じられる方式で、シリンジ２２８の対応する部分と相互作用または界面接触するための連結具２２２を含み得る。
【００３０】
シリンジ２２８は、（例えば、双頭矢印Ｂと一致する軸に沿った軸方向往復運動のために）シリンジバレル２３０内で移動可能に配置される、プランジャまたはピストン２３２を含む。プランジャ２３２は、連結具２３４を含み得る。このシリンジプランジャ連結具２３４は、シリンジプランジャ駆動アセンブリ２１４がシリンジバレル２３０内でシリンジプランジャ２３２を後退させることを可能にするように、ラム連結具２２２と相互作用または界面接触し得る。シリンジプランジャ連結具２３４は、ヘッドまたはボタン２３６ｂとともにシリンジプランジャ２３２の本体から延出する、シャフト２３６ａの形式であり得る。しかしながら、シリンジプランジャ連結具２３４は、任意の適切なサイズ、形状、構成、および／または種類を有してもよい。
【００３１】
概して、電動注入器２１０のシリンジプランジャ駆動アセンブリ２１４は、シリンジプランジャ２３２を少なくとも１つの方向に移動または前進させる（シリンジバレル２３０に対して）ことが可能であるように例えば、対応するシリンジ２２８から流体を放出するために）、任意の適切な方式で（例えば、機械的接触によって、適切な連結（機械的または別の様態）によって）、シリンジ２２８のシリンジプランジャ２３２と相互作用し得る。すなわち、シリンジプランジャ駆動アセンブリ２１４は、二方向運動（例えば、同一の駆動源２１６の動作を介する）が可能であってもよいが、電動注入器２１０は、シリンジプランジャ駆動アセンブリ２１４の動作が、実際は、電動注入器２１０が使用する各シリンジプランジャ２３２を一方向のみに移動させるだけであるように構成されてもよい。しかしながら、シリンジプランジャ駆動アセンブリ２１４は、このような各シリンジプランジャ２３２が２つの異なる方向（例えば、共通軸経路に沿った異なる方向）の各々に移動することができるように、電動注入器２１０が使用する各シリンジプランジャ２３２と相互作用するように構成されてもよい。
【００３２】
シリンジプランジャ２３２の後退は、後続する注入または放出のために、シリンジバレル２３０内への流体の装填に適応するために利用されてもよく、後続する注入または放出のためにシリンジバレル２３０内へ流体を実際に引き込むために利用されてもよく、または任意の他の適切な目的に利用されてもよい。一定の構成は、シリンジプランジャ駆動アセンブリ２１４がシリンジプランジャ２３２を後退させることができることを要求しなくてもよく、この場合、ラム連結具２２０およびシリンジプランジャ連結具２３４が所望されなくてもよい。この場合、シリンジプランジャ駆動アセンブリ２１４は、（例えば、別の事前充填シリンジ２２８が設置された後に）別の流体供給動作を実行する目的で後退させられてもよい。ラム連結具２２２およびシリンジプランジャ連結具２３２を利用する場合であっても、ラム２２０がシリンジプランジャ２３２を前進させてシリンジ２２８から流体を放出する場合に、これらの構成要素を連結してもしなくてもよいようにする（例えば、ラム２２０が単にシリンジプランジャ２３４を「押圧」してもよい）。任意の適切な寸法または寸法の組み合わせにおける任意の単一の運動または組み合わせた運動を利用して、ラム連結具２２２およびシリンジプランジャ連結具２３４を連結状態もしくは条件に配置してもよく、ラム連結具２２２およびシリンジプランジャ連結具２３４を非連結状態もしくは条件に配置してもよく、またはその両方であってもよい。
【００３３】
シリンジ２２８は、任意の適切な方式でパワーヘッド２１２上に設置されてもよい。例えば、シリンジ２２８は、パワーヘッド２１２上に直接設置されるように構成され得る。図示する実施形態では、シリンジ２２８とパワーヘッド２１２との間に界面を提供するように、筐体２２４がパワーヘッド２１２上に適切に装着される。この筐体２２４は、シリンジ２２８の１つ以上の構成が設置され得るアダプタの形式であってもよく、この場合、シリンジ２２８の少なくとも１つの構成は、任意のこのようなアダプタを使用せずに、パワーヘッド２１２上に直接設置され得る。また、筐体２２４は、シリンジ２２８の１つ以上の構成が設置され得る面板の形式であってもよい。この場合、パワーヘッド２１２上にシリンジ２２８を設置するために面板が必要とされ、面板なしでシリンジ２２８をパワーヘッド２１２上に設置することができないようなものであってもよい。圧力ジャケット２２６が使用されている場合、シリンジ２２８に関連して本明細書において論じられる種々の方式で、それがパワーヘッド２１２上に設置されてもよく、次いで、シリンジ２２８は、その後、圧力ジャケット２２６の中に設置される。
【００３４】
筐体２２４は、シリンジ２２８の設置時に、パワーヘッド２１２上に装着され、パワーヘッド２１２に対して固定位置にとどまり得る。別の選択肢は、シリンジ２２８の設置に適応するように、筐体２２４およびパワーヘッド２１２を移動可能に相互連結することである。例えば、筐体２２４は、双頭矢印Ａを含有する平面内で移動して、ラム連結具２２２とシリンジプランジャ連結具２３４との間で、連結状態または条件および非連結状態または条件のうちの１つ以上を提供し得る。
【００３５】
図１Ｂを参照すると、電動注入器１０は、注入器アセンブリを提供するために、駆動ラム１６と整列してシリンジ１４を注入器１０に取り付けることを容易にするための、シリンジ装着具１２を含む。注入器１０とともに使用するためのシリンジ１４は、概して、本体１８（外部円筒状バレルの形式であり得る）を含み、これは、その前方端部２０において、円錐状前壁２２と一体型である。放出先端２６において終端となる首部２４は、概して、円錐状前壁２２から前方に延出し、円錐状前壁２２と一体型である。シリンジ１４の本体１８は、このような圧力ジャケットまたはクレードル３０が注入器１０上に存在する場合に、圧力ジャケット（図示せず）またはクレードル３０の内壁と界面接触し得る。シリンジ１４は、注入器１０と連動して使用する場合に、シリンジ嵌合区分３２を含み、これは、半径方向外側に延出するフランジ３４の形式であり得る。このフランジ３４は、シリンジ１４の長手方向軸３６に実質的に垂直である平面に位置し、概して、シリンジ１４の本体１８の後方端部３８と一体型であり得る。シリンジ１４が注入器１０に関連付けられる場合、フランジ３４は、注入器１０の筐体４２の前方端部４０に位置するシリンジ装着具１２内に、および／またはシリンジ装着具１２と接触して位置している。シリンジ嵌合部分３２およびシリンジ装着具１２は、以下にさらに詳細に説明するように、シリンジ１４の注入器１０への動作連結を容易にするように利用され得る。
【００３６】
シリンジ１４の放出先端２６は、その遠隔端部において画定されるオリフィス４４を有し、これは、首部２４、円錐状前壁２２、およびシリンジ１４の本体１８内に画定される内部シリンジ空洞４６と連通し得る。空洞４６の後方端部４８は、シリンジプランジャ５２の概して前方対向表面５０によって画定され得る。図示する実施形態では、この前方対向表面５０は、実質的に円錐状である。表面５０は、円錐状前壁２２の内部の傾斜に一致する傾斜を有し得る。シリンジプランジャ５２は、空洞４６が変動可能な体積を有するように、シリンジ１４の本体１８内で密着して摺動可能であり得る。管（図示せず）は、流体が管を通ってシリンジ１４から伝達可能であるように、放出先端２６に動作可能に連結され得る。
【００３７】
次に、図１、図４Ｂ、および図５Ｂを参照すると、シリンジプランジャ５２が、シリンジ１４の本体１８内においてより明確に見られる。シリンジ１４が注入器１０に取り付けられる場合、シリンジプランジャ５２は、好ましくは、注入器１０の駆動ラム１６に近接して、かつそれに実質的に整列して位置する。駆動ラム１６は、モータ（図示せず）によって駆動されて、その長手方向軸方向５４に沿って前方運動または後方運動で移動させて駆動ラム１６を配備し、このようにして、シリンジ１４の長手方向軸３６に沿って前方運動または後方運動でシリンジプランジャ５２をそれぞれ配備して、流体の患者への注入またはシリンジ１４の流体による充填をそれぞれ行う。例えば、事前充填シリンジを注入器１０内に装填してもよく、プランジャ５２を前方方向に配備することによって、流体をシリンジ１４から吐出してもよい。このようにして、流体は、患者に注入され得る。代替として、空のシリンジを注入器１０内に装填してもよいが、シリンジプランジャ５２は、その最も前方の位置に、またはその付近に位置し得る。その後、流体をシリンジ１４内に引き込むために、シリンジ１４を流体源に動作可能に連結し、シリンジプランジャ５２を後方方向に後退させることによって、流体（例えば、造影剤）をシリンジ１４内に装填し得る。
【００３８】
注入器１０は、変動する体積の事前充填シリンジまたは空シリンジに適応するように設計され得る。例えば、注入器１０は、１２５ｍｌの事前充填シリンジ（例えば、ミズーリ州、セントルイスのＭａｌｌｉｎｃｋｒｏｄｔ  Ｉｎｃ．から市販されるＵｌｔｒａｊｅｃｔ（登録商標）シリンジ）を収容するように適合され得る。このようなシリンジは、造影剤を患者に注入するために使用され得る。これらの１２５ｍｌシリンジは、５０ｍｌ、７５ｍｌ、１００ｍｌ、１２５ｍｌ、または他の量等の多種多様な適切な量の流体のいずれかで事前充填されてもよい。加えて、注入器１０は、多種多様のサイズ（例えば、５０ｍｌ、７５ｍｌ、１００ｍｌ、１２５ｍｌ、１３０ｍｌ等）のいずれかの空シリンジに適応し得る。
【００３９】
図２Ａ〜図５Ｂを参照すると、シリンジ装着具１２の一実施形態が示される。シリンジ装着具１２は、オリフィス６０を画定する壁部材５８を含む可動アクチュエータ５６と、アクチュエータ５６に動作可能に結合され、かつ応答してそれとともに可動である少なくとも１つの第１の可動部材６２とを含む。より具体的には、図示する実施形態のシリンジ装着具１２は、アクチュエータ５６の壁部材５８に動作可能に結合される第１および第２の可動部材６２、６４を含む。第１および第２の可動部材６２、６４は、そこに動作可能に連結される第１および第２のピン６６、６８を含む。第１のピン６６は、第１の可動部材６２の第１の端部７０付近に動作可能に結合され、第２のピン６８は、第２の可動部材６４の第１の端部７２付近に動作可能に結合される。第１および第２のピン６６、６８は、アクチュエータ５６の壁部材５８に画定される少なくとも１つのスロット７４に収容されて、第１および第２の可動部材６２、６４をそこに結合する。アクチュエータ５６は、第１および第２の可動部材６２、６４の近位に配置される。さらに、第１および第２の部材６２、６４は、そこから後方に突出する第１および第２のロッド６７、６９を含み得る。これらの第１および第２のロッド６７、６９は、第１および第２の可動部材６２、６４が開放位置と閉鎖位置との間で移動する際に、アクチュエータ５６の壁部材５８の外側輪郭に沿って対面および移動し得る。
【００４０】
スロット７４は、その基部７６において、アクチュエータ５６の壁部材５８によって画定される。第１および第２のピン６６、６８は、スロット７４内において可動（例えば、摺動可能、および任意選択により回転可能）である。第１および第２のピン６６、６８の各々は、スロット７４の中心７８に近位の位置から、スロット７４の第１および第２の終端部８０、８２付近の位置まで移動することができる。第１および第２のピン６６、６８は、両方ともがスロット７４の片側を移動しない。むしろ、第１のピン６６は、スロット７４の一方の部分内で移動するように適合され、第２のピン６８は、スロット７４の別の部分内で移動するように適合される。具体的には、図示する実施形態では、壁部材５８の基部７６は、「Ｖ」に少なくとも概して類似する形状で、その上部部分を有する開口部８４を含む。第１および第２のピン６６、６８は、この開口部８４の「Ｖ」部分に配置される。第１および第２のピン６６、６８が、「Ｖ」の２つの脚部の交差点付近に位置している場合、第１および第２の可動部材６２、６４は、開放位置にある（図４Ａ参照）。第１および第２のピン６６、６８が、「Ｖ」の第１および第２の終端部８０、８２付近に位置している場合、第１および第２の可動部材６２、６４は、閉鎖位置にある（図５Ａ参照）。図示する実施形態のスロット７４は、概して「Ｖ」形状を有するものとして本明細書に図示および説明されるが、必ずしもこのような「Ｖ」形状である必要はなく、第１および第２の可動部材６２、６４をスロット内において十分移動可能にして、シリンジを注射器１０に動作可能に連結する任意の他の形状を使用することができることを当業者は認識する。例えば、スロット７４は、「Ｕ」または「Ｃ」形状を有してもよい。さらに、当業者は、１つを超えるスロットを使用してもよいことを認識する。例えば、壁部材５８の基部７６に近接する「Ｖ」形状を形成する２つのスロットは、「Ｖ」の先端付近で第１および第２のピン６６、６８を収容することができる。前述のように、当業者は、スロットが必ずしも「Ｖ」の形状である必要がないことを認識する。
【００４１】
図２Ａ〜図５Ｂから分かるように、シリンジ装着具１２のアクチュエータ５６および第１および第２の可動部材６２、６４は、注入器１０の筐体４２の面板８６内に保持される（面板の追加の図面は、図６〜図１２に示される）。特に図２Ａを参照すると、面板８６は、近位壁部分８８、遠位壁部分９０、遠位壁部分９０から遠位に延出するクレードル３０、および結合板９２を含む。第１および第２の可動部材６２、６４は、結合板９２とアクチュエータ５６の壁部材５８との間に位置し、次いで、全ての３つの構成要素は、近位壁部分８８と遠位壁部分９０との間に形成される面板８６の内部空洞９４内に含まれる。アクチュエータ５６ならびに第１および第２の可動部材６２、６４は、内部空洞９４内において可動である。結合板は、好ましくは、近位および遠位壁部分８８、９０のうちの少なくとも１つに固定される際に、面板８６の近位および遠位部分に対して実質的に不動である。図示する実施形態では、この固定は、ネジ９６を使用することによって生じ、ネジ９６は、後方板９９におけるオリフィス９７、近位壁部分８８におけるオリフィス９８、結合板９２におけるオリフィス１００を貫通し、遠位壁部分９０におけるオリフィス（図示せず）に収容される。
【００４２】
結合板９２は、その近位表面１０５から突出する第１および第２の旋回シャフト１０１、１０３を含む。これらの第１および第２の旋回シャフト１０１、１０３は、第１および第２の可動部材６２、６４のそれぞれに画定される第１および第２のシャフト開口部１０７、１０９に収容される。したがって、第１および第２の可動部材６２、６４は、対応する第１および第２の旋回シャフト１０１、１０３の周りの旋回運動を呈することができる。言い換えると、第１および第２の可動部材６２、６４は、可動部材６２、６４がその周りを旋回することができる方式で、対応する第１および第２の旋回シャフト１０１、１０３に結合される。したがって、第１および第２の旋回シャフト１０１、１０３は、第１および第２の可動部材６２、６４に旋回点を提供すると考えられ得る。
【００４３】
シリンジ装着具１２内へのシリンジ１４の装填を開始するために、シリンジ１４の後方端部３８におけるフランジ３４は、シリンジ装着具１２の遠位壁部分９０および結合板９２の各々における開口を通過し、アクチュエータ５６に画定されるオリフィス６０内に収容され得る。シリンジ１４の後方端部３８は、オリフィス６０に位置する一方で、シリンジ１４は、注入器１０の駆動ラム１６の長手方向軸５４に実質的に垂直である第１の方向に移動し得る。本明細書において、この方向は、「下方」方向と呼ばれる（運動が注入器１０に対して下方であるため）。しかしながら、当業者は、運動が、「下方」である必要はなく、他の方向における運動がシリンジ１４の適切な係合をもたらすことができるように（「上方」移動、「側方」移動、または駆動ラム１６の長手方向軸５４と実質的に同軸関係にシリンジ１４の長手方向軸３６が移動するような、任意の他の適切な実質的に垂直な動きを含むが、これらに限定されない）、シリンジ装着具１２を構成することができることを認識する。この下方運動は、次いで、アクチュエータ５６を下方方向に応答して移動させる。下方方向におけるアクチュエータ５６の運動によって、第１および第２のピン６６、６８の各々は、壁部材５８の基部７６に画定されるスロット７４の対応する第１および第２の端部８０、８２に移動する。ピン６６、６８のこの移動は、固定結合板９２の第１および第２の旋回シャフト１０１、１０３が第１および第２の可動部材６２、６４の第１および第２のシャフト開口部１０７、１０９内に位置することに起因して、第１および第２の可動部材６２、６４が下方方向に移動不可能であることから生じる。したがって、アクチュエータ５６が下方方向に移動する際に、第１および第２のピン６６、６８は、スロット７４内のその第１および第２の終端８０、８２まで移動する。第１および第２の可動部材６２、６４は、下方に移動不可能であることから、これらは、その代わりに、第１および第２の旋回シャフト１０１、１０３が提供する旋回点の周りを旋回する。言い換えると、第１および第２の可動部材６２、６４は、それぞれの第１および第２のシャフト開口部１０７、１０９において、対応する第１および第２の旋回シャフト１０１、１０３の周りを回転する。したがって、第１および第２の可動部材６２、６４は、シリンジ１４の後方端部３８と係合する（例えば、実質的に、円周方向に被包する）ように旋回する（図５Ａ参照）。シリンジ１４のフランジ３４は、可動部材６２、６４のこの旋回移動中にアクチュエータ５６内に位置することから、第１および第２の可動部材６２、６４は、シリンジ１４の本体１８と係合する（フランジ３４ではない）。シリンジ１４の本体１８とのこの係合が、本体１８の実質的な被包として特徴付けられ得るように、可動部材６２、６４が設計される実施形態では、この種類の係合によって、従来のシリンジ装着具に見られるよりも多くのシリンジ１４の被覆が可能になるので、シリンジ１４がより大きな注入圧力に耐えることが潜在的に可能になると考えられ得る。
【００４４】
図示する実施形態では、第１および第２の可動部材６２、６４は、相互に対向しており、駆動ラム１６の長手方向軸５４の周りに位置している。さらに、第１および第２の可動部材６２、６４の各々は、弓状面１０２、１０４を有する。これらの弓状面１０２、１０４は、相互に直径方向に対向しているように示され、シリンジ１４の本体１８の外側に位置する。シリンジ１４が注入器１０のシリンジ装着具１２に適切に係合される場合、シリンジ装着具１２の第１および第２の可動部材６２、６４は、シリンジ１４の外部本体１８の側面と接触して、シリンジ１４を適所に、かつ注入器１０の駆動ラム１６と整列して保持する。
【００４５】
いくつかの実施形態では、シリンジ１４を把持および／または保持するための可動部材６２、６４の能力を改善するために、可動部材６２、６４の弓状面１０２、１０４は、１つ以上の種類の係合強化特徴（例えば、溝、段差、窪み、リッジ、歯、それらの組み合わせ、およびその同等物）を有し得る。いくつかの実施形態では、把持強化コーティング（例えば、Ｓａｎｔｏｐｒｅｎｅ（登録商標）エラストマー）を可動部材６２、６４の弓状面１０２、１０４に塗布して、シリンジ１４の把持／保持を容易にしてもよい。
【００４６】
第１および第２の可動部材６２、６４の旋回移動は、それらが相互に向かって旋回する際における、および相互に離れるように旋回する際における、弓状面１０２、１０４間の距離を変える。図示する実施形態では、第１および第２の可動部材６２、６４の各々は、可動である。いくつかの実施形態では、不動部材（例えば、弓状止め具または当接具）に対して間隔をおいて配置される単一の可動部材を使用することが可能であり、不動部材に向かって単一の可動部材が移動し得る。
【００４７】
いくつかの実施形態では、第１および第２の可動部材６２、６４は、適切なシリンジ係合機能に必要ではない。このような実施形態では、シリンジ１４と係合するために単一の把持部材を使用して、シリンジ１４を注入器１０に動作可能に連結し得る。このような実施形態では、単一の可動部材は、本体１８との接触時に、シリンジ１４の十分な円周を被覆して、シリンジ１４を注入器１０に対して保持するはずである。このような実施形態においては、可動部材の中心点から延出する各アームは、アームが、シリンジ１４の挿入および／または除去を可能にするように外側および内側に広がることができるように、ある程度の弾性を有し得る。
【００４８】
アクチュエータ５６の壁部材５８は、第１の波型輪郭１０６および第２の波型輪郭１０８を含む外周側面１１０を有するように示されている。図示するように、第２の波型輪郭１０８は、第１の波型輪郭１０６の実質的に反対に位置している。これらの第１および第２の波型輪郭１０６、１０８の各々は、第１の谷１１２、第２の谷１１４、およびその間に配置されるリッジ１１６を含む。注入器１０のシリンジ装着具１２内に位置している場合、これらの第１および第２の波型輪郭１０６、１０８は、第１および第２の突出１１８、１２０によって対向され（図２Ａおよび図５Ａ参照）、これらの突出は、アクチュエータ５６が第１の位置と第２の位置との間で移動する際に、第１および第２の波型輪郭１０６、１０８の表面に沿って重なるように適合される。図示する実施形態では、第１および第２の突出１１８、１２０は、面板８６の近位壁部分８８に結合され、第１および第２の波型輪郭１０６、１０８の各々に向かう方向にバネ付勢される。第１および第２の戻り止め１１８、１２０と第１および第２の波型輪郭１０６、１０８との相互作用によって、シリンジ１４の装填または取り外しのいずれかのためにアクチュエータ５６を移動させることをユーザが望むまで、第１または第２の位置のいずれかにアクチュエータ５６を保持することが支援される。いくつかの実施形態では、第１および第２のピン６６、６８は、第１および第２の可動部材６２、６４の各々に関連付けられる付勢バネを含み得る。このような実施形態では、付勢バネの各々の一方の端部は、そのそれぞれに関連付けられる可動部材に接触してもよく、各付勢バネの反対の端部は、注入器１０の筐体４２（または、面板８６の部分に対して着座または位置してもよい。いくつかの実施形態では、これらの付勢バネの少なくとも一部分は、ピン６６、６８の周囲に配置され、これらのピンは、第１および第２の可動部材６２、６４の旋回軸を形成する。
【００４９】
シリンジ１４を注入器１０内に装填するために、シリンジ１４の後方端部３８におけるフランジ３４が、壁部材５８のオリフィス６０内に収容されて、フランジ３４の外周上の少なくとも１つの接触点１２２が、オリフィス６０を画定する外周１２４と接触するか、または接触させることができるように、シリンジ１４は、アクチュエータ５６の壁部材５８に対して位置している。より具体的には、フランジ３４は、一定の実施形態において、アクチュエータ５６における凹部１２５によって収容され得る。アクチュエータ５６は、第１および第２の可動部材６２、６４が開放位置にあるように、第１の位置にあるものとして図４Ａに示される。また、この第１の位置では、第１および第２の突出１１８、１２０は、対応する第１および第２の波型輪郭１０６、１０８の第１の谷１１２と接触する。第１および第２の突出１１８、１２０のバネ付勢の力は、アクチュエータ５６の壁部材５８が支援を受けずに第２の位置まで移動することを防ぐことを少なくとも支援する。さらに、注入器１０の駆動ラム１６は、好ましくは、プランジャ結合機構１２６がシリンジプランジャ５２の後方面から延出する結合機構１２８と整列するように位置している（図４Ｂ参照）。
【００５０】
次いで、ユーザは、駆動ラム１６の長手方向軸５４に実質的に垂直な方向に、およびそれに向かう方向において、シリンジ１４に力を印加する。壁部材５８の外周面１２４に接触するシリンジ１４のフランジ３４を利用して、アクチュエータ５６の壁部材５８を押し付けて、駆動ラム１６の長手方向軸５４に実質的に垂直な方向に応答して移動させる。第１および第２の突出１１８、１２０のバネ付勢を上回るのに十分な力を印加して、アクチュエータ５６が第１の位置から第２の位置まで移動するようにする。これが発生する際、第１および第２の突出１１８、１２０は、第１の谷１１２からリッジ１１６に沿って第２の谷１１４まで、第１および第２の波型輪郭１０６、１０８に沿って重なる。次いで、第１および第２の突出１１８、１２０を利用して、図５Ａに示す第２の位置に壁部材５８を保持することを少なくとも支援し得る。
【００５１】
第１の位置から第２の位置への壁部材５８の移動は、駆動ラムの長手方向軸５４に実質的に垂直な方向に壁部材５８のスロット７４を協調的に移動させる。したがって、スロット７４は、第１および第２のピン６６、６８に対して移動し、これによって、第１および第２のピン６６、６８は、スロット７４に対して、およびスロット７４内において移動する。より具体的には、図示する実施形態では、第１および第２のピン６６、６８は、「Ｖ」の先端に近位の位置から「Ｖ」の各脚部の終端に近位の位置まで（図４Ａに示す位置から図５Ａに示す位置まで）、Ｖ字型スロット内において移動する。この動きにより、シリンジ１４の後方端部３８が第１および第２の可動部材６２、６４によって係合されるように、開放位置から閉鎖位置への第１および第２の可動部材６２、６４の応答的旋回動きが引き起こされる。具体的には、アクチュエータ５６が下方方向に移動する際、第１および第２のピン６６、６８は、スロット７４内において、その第１および第２の終端８０、８２まで移動する。第１および第２の可動部材６２、６４は、下方に移動不可能であることから、これらは、その代わりに、第１および第２の旋回シャフト１０１、１０３が提供する旋回点を中心に旋回する。言い換えると、第１および第２の可動部材６２、６４は、それぞれの第１および第２のシャフト開口部１０７、１０９において、第１および第２の旋回シャフト１０１、１０３を中心に回転する。
【００５２】
壁部材５８が、第１の位置から第２の位置に移動し、シリンジ１４が、可動部材６２、６４により係合されない位置から可動部材６２、６４により係合される位置に壁部材５８とともに移動する際、シリンジプランジャ５２の後方端部３８における結合機構１２８は、駆動ラム１６のプランジャ結合機構１２６と係合されない位置から、駆動ラム１６のプランジャ結合機構１２６と係合される置まで移動する。図示する実施形態では（図４Ｂおよび図５Ｂ参照）、シリンジ１４のフランジ３４が、壁部材５８が画定するオリフィス６０と整列する場合、シリンジ１４内におけるシリンジプランジャ５２は、好ましくは、シリンジプランジャ５２の後方面上の結合機構１２８が駆動ラム１６のプランジャ結合機構１２６と整列するように位置している。図示するシリンジプランジャ５２の結合機構１２８は、シリンジプランジャ５２の後方面から延出する突出１２８である。この突出１２８は、キャップ部分１３２（シリンジ１４の長手方向軸に対して横断）が被さる茎部分１３０（シリンジ１４の長手方向軸３６に対して平行）を有する「Ｔ」形状を呈するものとして特徴付けられ得る。壁部材５８が第１の位置から第２の位置に移動する際、結合機構１２８のキャップ部分１３２は、図示する実施形態では、駆動ラム１６の前方端部に形成されるスロット１３４であるプランジャ結合機構１２６によって収容され得る。
【００５３】
スロット１３４は、シリンジ１４の結合機構１２８、特に、そのキャップ部分１３２を収容する形状で、駆動ラム１６の前方端部に画定される。プランジャ結合要素１２６の断面は、「Ｊ」形状（キャップ部分１３２を収容するように構成される「Ｊ」のフック部分内にスロットを有する）を呈するように示され、したがって、シリンジプランジャ５２が駆動ラム１６と係合する場合、「Ｊ」形状の遠位端１３６は、結合機構１２８のキャップ部分１３２の一部に遠位に位置している。したがって、シリンジ１４が初めにアクチュエータ５６に挿入される場合（第１の位置において）、結合機構１２８のキャップ部分１３２は、駆動ラム１６のプランジャ結合要素１２６の「上」にある。しかしながら、アクチュエータ５６が第２の位置に移動する際、結合機構１２８のキャップ部分１３２は、駆動ラム１６のプランジャ結合機構１２６の遠位端１３６に近位に位置しているように移動する。一旦係合すると、造影剤等の流体をシリンジ１４から分注するように、その長手方向軸５４に沿って前方に駆動ラム１６を平行移動させること等によって、注入処置を実行してもよい。図示する実施形態のスロット１３４および延長部１２８は、本明細書においてそれぞれ「Ｊ」および「Ｔ」と言及される形状を有するが、当業者は、結合を容易にする任意の形状を使用してもよいことを認識する。加えて、図示する実施形態は、最初に、受動的結合をもたらす結合機構１２８およびプランジャ結合機構１２６を示すが、当業者は、能動的結合をもたらす結合機構およびプランジャ結合機構（ある度合いの受動的把持を伴う）を使用してもよいことを認識する。
【００５４】
前述のように、シリンジ装着具１２によって、注入器１０の駆動ラム１６が任意の位置にある場合に、注入器１０の面板８６および／または前方端部４０からシリンジ１４を除去することが可能になる。シリンジ１４を注入器１０から取り外す前に、駆動ラム１６を「本来の」位置に戻す必要はない。したがって、注入処置中に、駆動ラム１６の平行移動を停止し得る一方で、駆動ラム１６は、注入器１０の前面板８６から延出位置にある。次いで、ユーザは、シリンジ１４を把持し、それを上方方向に移動させることができ、これによって、第１および第２の突出１１８、１２０のバネ付勢力を上回って、アクチュエータ５６が第２の位置から第１の位置に移動する。これが発生する際に、第１および第２の突出１１８、１２０は、第２の谷１１４からリッジ１１６の上を通って第１の谷１１２まで、第１および第２の波型輪郭１０６、１０８に沿って重なる。同時に、第１および第２の可動部材６２、６４の第１および第２のピン６６、６８は、Ｖのアームの終端８０、８２付近の位置からＶの先端付近の位置まで、壁部材５８のＶ字型スロット内において移動する。これにより、第１および第２の可動部材６２、６４は、第１および第２の旋回シャフト１０１、１０３の第１および第２のシャフト開口部１０７、１０９との相互作用によって生成された旋回点を中心に旋回することによって、閉鎖位置から解放位置に旋回する。アクチュエータ５６のオリフィス６０内におけるシリンジ１４の後方端部３８におけるフランジ３４の位置付けに起因して、アクチュエータ５６によって、シリンジ１４の後方面上のＴ字型結合機構に十分な垂直のシリンジ移動が、駆動ラム１６の前方部分上のスロットを除去することが可能になり、これによって、注入器１０からシリンジ１４を除去することが可能になる。
【００５５】
図１Ａおよび図１Ｂの電動注入器２１０、１０の各々は、流体が対象（例えば、患者）に注入される医療撮像用途を含むがこれに限定されない、任意の適切な用途に使用されてもよい。電動注入器２１０、１０の代表的な医療撮像用途は、コンピュータ断層撮影法またはＣＴ映像法、磁気共鳴映像法またはＭＲＩ、ＳＰＥＣＴ映像法、ＰＥＴ映像法、Ｘ線映像法、血管造影法、光学映像法、および超音波映像法を含むがこれらに限定されない。電動注入器２１０、１０の各々は、単独で、または１つ以上の他の構成要素と組み合わせて使用され得る電動注入器２１０、１０の各々は、例えば、情報が電動注入器２１０、１０と１つ以上の他の構成要素との間で伝達され得るように（例えば、スキャン遅延情報、注入開始信号、注入速度）、１つ以上の構成要素と動作可能に相互連結されてもよい。
【００５６】
単一ヘッド構成（単一のシリンジ用）および二重ヘッド構成（２つのシリンジ用）を含むがこれらに限定されない任意の数のシリンジが、電動注入器２１０、１０の各々によって利用され得る。多重シリンジ構成の場合、各電動注入器２１０、１０は、任意の好適な方式で、任意のタイミング順序に従って、種々のシリンジから流体を放出してもよい（例えば、２つ以上のシリンジからの連続放出、２つ以上のシリンジからの同時放出、またはそれらの任意の組み合わせ）。複数のシリンジが、（例えば、単一の注入部位に提供するために）共通導管内に放出してもよく、または１つのシリンジが、（例えば、１つの注入部位に提供するために）１つの導管内に放出してもよい一方で、別のシリンジは、（例えば、異なる注入部位に提供するために）異なる導管内に放出してもよい。電動注入器２１０、１０の各々によって利用されるこのような各シリンジは、任意の適切な流体、例えば、造影剤、放射性医薬品、生理食塩水、およびその任意の組み合わせを含んでもよい。電動注入器２１０、１０の各々によって利用されるこのような各シリンジは、任意の適切な方式で設置されてもよい（例えば、後方装填構成を利用してもよく、前方装填構成を利用してもよく、側面装填構成を利用してもよい）。
【００５７】
図６は、（部材６２、６４を交換して）図１Ｂの電動注入器１０および任意の他の適切な電動注入器に使用することのできる、電動注入器シリンジのクランプアセンブリ３００の一実施形態の透視図である。概して、クランプアセンブリ３００は、対応する電動注入器のパワーヘッド上の電動注入器シリンジ３３０を維持または保持するために使用することができる。クランプアセンブリ３００は、電動注入器シリンジ３３０に圧縮力を印加することができるが、すべての場合においてそのような圧縮力が必要なわけではない。代わりに、クランプアセンブリ３００の１つ以上の部分が電動注入器シリンジ３３０に近接して離間された関係で配置されてもよいか、クランプアセンブリ３００の１つ以上の部分が電動注入器シリンジ３３０と界面接触する関係で単純に配置されてもよいか、またはその両方であってもよい。いずれの場合も、クランプアセンブリ３００は、電動注入器シリンジ３３０上の１つ以上のＲＦＩＤタグ３３６と通信するための少なくとも１つのＲＦＩＤリーダアンテナを含む。任意の適切な数のＲＦＩＤリーダアンテナがクランプアセンブリ３００によって用いられてもよく、各ＲＦＩＤリーダアンテナは、任意の適切なサイズ、形状、構成、および／または種類の（例えば、任意の好適なレイアウトまたはパターンの）アンテナである。クランプアセンブリ３００のＲＦＩＤリーダアンテナに電力を提供する任意の適切な方法が利用され得る。１つ以上のＲＦＩＤリーダアンテナをクランプアセンブリ３００に組み込む任意の適切な方法が利用され得る（例えば、１つ以上のＲＦＩＤリーダアンテナをクランプアセンブリ３００に別個に載置する、１つ以上のＲＦＩＤリーダアンテナをクランプアセンブリ３００の構造内に一体化する、およびそれらの任意の組み合わせ含む）。
【００５８】
クランプアセンブリ３００によるＲＦＩＤリーダアンテナの種々の統合を、図７〜１０に関連して以下に論議する。最初に図７を参照すると、クランプアセンブリ３００は、第１のクランプ部材３０２および第２のクランプ部材３１２を含む。第１のクランプ部材３０２および第２のクランプ部材３１２は、対向した関係で配置されると特徴付けられてもよい。図示された実施形態において、各クランプ部材３０２、３１２は、電動注入器シリンジ３３０のシリンジ筒３３２の異なる位置から外向きではあるが、電動注入器シリンジ３３０の長さ寸法に沿って同じ場所に配置される（長さ寸法は軸３３８と同じである）。第１のクランプ部材３０２は、内側または内部表面３０８に沿って、対向して配置される端部表面３０４、３０６を含む。端部表面３０６は、クランプアセンブリ３００内に位置し、クランプアセンブリ３００が閉鎖構成にあるときに（代表的な閉鎖構成を図７に示す）、電動注入器シリンジ３３０のフランジ３３４に向かって突出するかまたは面する。すなわち、図６に示す図において、シリンジフランジ３３４はクランプアセンブリ３００の後側に配置される。いずれの場合も、内側表面３０８は、クランプアセンブリ３００内に位置し、クランプアセンブリ３００がその閉鎖構成にあるときに、電動注入器シリンジ３３０の筒３３２に向かって突出するかまたは面する。第１の旋回ピン３１０は、クランプアセンブリ３００を組み込む電動注入器のパワーヘッドに、第１のクランプ部材３０２を旋回可能に相互接続する。
【００５９】
第２のクランプ部材３１２は、内側または内部表面３１８に沿って、対向して配置される端部表面３１４、３１６を含む。端部表面３１６は、クランプアセンブリ３００内に位置し、クランプアセンブリ３００が閉鎖構成にあるときに、電動注入器シリンジ３３０のシリンジフランジ３３４に向かって突出するかまたは面する。すなわち、図６に示す図において、シリンジフランジ３３４はクランプアセンブリ３００の後側に配置される。いずれの場合も、内側表面３１８は、クランプアセンブリ３００内に位置し、クランプアセンブリ３００がその閉鎖構成にあるときに、電動注入器シリンジ３３０の筒３３２に向かって突出するかまたは面する。第２の旋回ピン３２０は、クランプアセンブリ３００を組み込む電動注入器のパワーヘッドに、第１のクランプ部材３１２を旋回可能に相互接続する。
【００６０】
電動注入器シリンジ３３０のフランジ３３４は、電動注入器シリンジ３３０の近位端に位置するかまたは近位端上に位置すると特徴付けられ得る（例えば、対向して配置される電動注入器シリンジ３３０の遠位端は、電動注入器シリンジ３３０からの流体放出を収容することができ、フランジ３３４は図１Ｂに示すシリンジ１４のフランジ３４と同様に位置している）。少なくとも１つのＲＦＩＤタグ３３６が、電動注入器シリンジ３３０上に配置される。各ＲＦＩＤタグ３３６は、任意の適切なサイズ、形状、構成、および／または種類のタグであってもよく、任意の適切な方式で製造されてもよく、任意の適切な情報で符号化されてもよく、電動注入器シリンジ３３０上の任意の適切な場所に配置されてもよい。任意の適切な数のＲＦＩＤタグ３３６が電動注入器シリンジ３３０上に配置されてもよく、複数のＲＦＩＤタグ３３６が任意の適切な配設で配置されてもよい。１つ以上のＲＦＩＤタグ３３６がシリンジ筒３３２上に配置されてもよく、１つ以上のＲＦＩＤタグ３３６が電動注入器シリンジ３３０のフランジ３３４上に配置されてもよく、またはその両方でもよい。
【００６１】
クランプアセンブリ３００の図示された実施形態は、第１のクランプ部材３０２および第２のクランプ部材３１２の各々が、少なくとも２つの一般的な位置の間で移動して、クランプアセンブリ３００の開放および閉鎖構成を画定することを可能にする。第１のクランプ部材３０２および第２のクランプ部材３１２の各々は、クランプアセンブリ３００の開放および閉鎖構成を画定するように、任意の適切な経路または経路の組み合わせに沿って移動させられ得る。クランプアセンブリ３００をその開放および閉鎖構成の各々に駆動する任意の適切な方法が利用され得る。一実施形態において、任意の適切なサイズ、形状、構成、および／または種類の単一のアクチュエータ（例えば、アクチュエータ５６）が、第１のクランプ部材３０２および第２のクランプ部材３１２を、それらのそれぞれの旋回ピン３１０、３２０の周りで同時に旋回させる。第１のクランプ部材３０２および第２のクランプ部材３１２の各々に別個のアクチュエータが提供されてもよいことを理解されたい。また、第１のクランプ部材３０２および第２のクランプ部材３１２のうちの一方を、実際に静止位置または固定位置（少なくとも他のクランプ部材３０２、３１２に対して）で維持し、他方を任意の適切な方式で移動させて、クランプアセンブリ３００の開放および閉鎖構成を提供する（図示せず）ことができることも理解されたい。
【００６２】
図７は、少なくとも１つのＲＦＩＤリーダアンテナをクランプアセンブリ３００と一体化するための１つのオプションを図示する。第１のＲＦＩＤリーダアンテナ部３４０は、第１のクランプ部材３０２の端部表面３０４上に配置され（端部表面３０６が別のオプションであるが、図示せず）、第２のＲＦＩＤリーダアンテナ部３４２は、第２のクランプ部材３１２の端部３１４上に配置される（端部表面３１６が別のオプションであるが、図示せず）。第１のＲＦＩＤリーダアンテナ部３４０および第２のＲＦＩＤリーダアンテナ部３４２は、各々、自律的または独立的に動作可能な（例えば、完全に機能的である）ＲＦＩＤリーダアンテナであってもよい。代替として、第１のＲＦＩＤリーダアンテナ部３４０および第２のＲＦＩＤリーダアンテナ部３４２は、（少なくとも、クランプアセンブリ３００が図７に示す閉鎖構成にあるときに）単一のＲＦＩＤリーダアンテナを集合的に画定することができる。任意の適切なレイアウトが、第１のＲＦＩＤリーダアンテナ部３４０および第２のＲＦＩＤリーダアンテナ部３４２の各々に用いられてもよい。
【００６３】
クランプアセンブリ３００と一体化されたＲＦＩＤリーダアンテナに電力を提供するための２つのオプションも、図７によって図示される。ＲＦＩＤリーダアンテナ部３４０への電力は、任意の適切なサイズ、形状、構成、および／または種類の可撓性コネクタ３４４によって提供される。第２のＲＦＩＤリーダアンテナ部３４２への電力は、第２の旋回ピン３２０を介して提供されるので、このピンは導電性材料または材料の組み合わせで形成される。
【００６４】
ＲＦＩＤリーダアンテナの別のレイアウトが、図８Ａに例示される。ここでは、ＲＦＩＤリーダアンテナ部３５０は、第１／第２のクランプ部材３０２／３１２の内部表面３０８／３１８（電動注入器シリンジ３３０がクランプアセンブリ３００内に位置しているときに、シリンジ筒３３２に向かって突出するかまたは面するクランプ部材３０２／３１２の表面）上に配置されている。第１／第２の旋回ピン３１０／３２０は図８Ａに示されていないが、第１／第２の旋回軸３１１／３２１（それぞれの第１／第２のクランプ部材３０２／３１２が、その周囲を移動する軸３１１／３２１）が図８Ａに示される。例示された実施形態では、ＲＦＩＤリーダアンテナ部３５０自体がＲＦＩＤリーダアンテナとして機能するが、クランプアセンブリ３００の他のクランプ部材３０２／３１２（図示せず）上の別のＲＦＩＤリーダアンテナ部とともに、集合的にＲＦＩＤリーダアンテナを画定するように構成されてもよい。
【００６５】
図８Ｂは、図６の電動注入器シリンジのクランプアセンブリ３００上のＲＦＩＤリーダアンテナの、別の可能なレイアウトを示す。ここでは、第１のＲＦＩＤリーダアンテナ部３６０および第２のＲＦＩＤリーダアンテナ部３６２は、各々、第１／第２のクランプ部材３０２／３１２の内部表面３０８／３１８（電動注入器シリンジ３３０がクランプアセンブリ３００内に位置しているときに、シリンジ筒３３２に向かって突出するかまたは面するクランプ部材３０２／３１２の表面）上に配置されている。第１および第２の旋回ピン３１０／３２０は図８Ｂに示されていないが、第１／第２の旋回軸３１１／３２１（それぞれの第１／第２のクランプ部材３０２／３１２が、その周囲を移動する軸３１１／３２１）が図８Ｂに示される。例示された実施形態において、ＲＦＩＤリーダアンテナ部３６０、３６２は、各々、ＲＦＩＤリーダアンテナとして機能することができる。各ＲＦＩＤリーダアンテナ部３６０、３６２は、クランプアセンブリ３００の他のクランプ部材３０２／３１２上の別のＲＦＩＤリーダアンテナ部とともに、集合的にＲＦＩＤリーダアンテナを画定することができる（クランプアセンブリ３００が、２つの別個のＲＦＩＤリーダアンテナを含むように）。最後に、各ＲＦＩＤリーダアンテナ部３６０、３６２は、１つ以上のＲＦＩＤリーダアンテナ部が他のクランプ部材３０２／３１２上に配置される場合を含み、クランプアセンブリ３００の単一のＲＦＩＤリーダアンテナの一部であってもよい。
【００６６】
クランプアセンブリ３００上のＲＦＩＤリーダアンテナに電力を提供するための２つの方法を、図７に関連して上記で論議した。追加オプションが図９および１０に表されている。図９において、旋回ピン３７０は、図８Ｂに示される一対の離間したＲＦＩＤリーダアンテナ部３６０、３６２に別個の電気接続を提供するように構成される。クランプ部材３０２／３１２の旋回ピン３７０は、中間絶縁部３７４によって分けられた第１の導電部３７２および第２の導電部３７６を含む。一対の移動可能かつ導電性であるピン３７８は、互いに離間し、任意の適切な方式で（例えば、図示しないが、ばね等を使用して）旋回ピン３７０と接触するように付勢される。一方の導電ピン３７８が旋回ピン３７０の第１の導電部３７２と係合し、他方の導電ピン３７８が、次いで旋回ピン３７０の第２の導電部３７６と係合する。各導電ピン３７８も、少なくとも導電ピン３７８が旋回ピン３７０と接触しているときに、それ自体の導体３８０と電気的に接触する。一方の導体３８０は、第１のＲＦＩＤリーダアンテナ部３６０に延在するか、または他の方法で電気的に通信し、他方の導体３８０は、第２のＲＦＩＤリーダ部３６２に延在するか、または他の方法で電気的に通信している（図８Ｂを参照）。
【００６７】
図１０に示される第１／第２のクランプ部材３０２／３１２は、一方で、互いに離間した一対の足部３８２を含むＲＦＩＤリーダアンテナ部３８０を含む。各足部３８２は、クランプ部材３０２／３１２のエッジ部３８６に延在し、それ自体の電気接点３８４（例えば、パワーヘッド上に載置される）と整列させられる。クランプアセンブリ３００をその閉鎖構成に配置するようにクランプ部材３０２／３１２を移動させると、各足部３８２が、その対応する電気接点３８４と電気的に接触する。別のクランプ部材３０２／３１２は、同様の一対の電気接点３８４を有することができるか、または他のクランプ部材３０２／３１２は、図１０に示す電気接点３８４と電気的に接触させることもできる。
【００６８】
任意の適切なサイズ、形状、構成、および／または種類の電動注入器シリンジのクランプアセンブリ（例えば、単一のクランプ部材を利用すること、および複数のクランプ部材が任意の適切な配設で利用および配置される場合を含む、任意の適切な数のクランプ部材を含む）は、上記にしたがって、少なくとも１つのＲＦＩＤリーダアンテナを含むことができる。一実施形態において、１つ以上のＲＦＩＤリーダアンテナは、このクランプアセンブリと設置された電動注入器シリンジとの間の相対的な位置付け要件が減じられるような方式で、電動注入器シリンジのクランプアセンブリによって組み込まれる。設置された電動注入器シリンジ上の各ＲＦＩＤタグは、電動注入器シリンジのクランプアセンブリ内における位置にかかわらず、電動注入器シリンジのクランプアセンブリの１つ以上のＲＦＩＤリーダアンテナによって可読であることが望ましくあり得る。
【００６９】
電動注入器シリンジのクランプアセンブリの１つ以上のクランプ部材は、上記にしたがってＲＦＩＤリーダアンテナを含むことができる。所与のＲＦＩＤアンテナが、単一のクランプ部材に組み込まれてもよいか、または複数のクランプ部材に組み込まれてもよい。電動注入器シリンジのクランプアセンブリの各クランプ部材はＲＦＩＤリーダアンテナを含むことができるが、複数のクランプ部材を用いた構成の場合には、１つ以上のクランプ部材は、いずれのＲＦＩＤリーダアンテナをその中に含まなくてもよい（しかしながら、そのような場合においても、少なくとも１つのクランプ部材は、なおも少なくとも１つのＲＦＩＤリーダアンテナを含む）。
【００７０】
本明細書に記載する種々の電動注入器シリンジのクランプアセンブリは、任意の適切な電動注入器によって利用され得、また任意の適切な方式で一体化され得る。一実施形態において、シリンジのクランプアセンブリは、電動注入器のパワーヘッド上に載置される。別の実施形態において、シリンジのクランプアセンブリは、一方で、電動注入器のパワーヘッドに（例えば、手で、または任意のツールを使用せずに）着脱可能に載置され得る面板の構造内に組み込まれる。さらに別の実施形態において、シリンジのクランプアセンブリは、一方で、電動注入器のパワーヘッドに載置されるアダプタの構造内に組み込まれる。
【００７１】
本発明の前述の説明は、例示および説明のために提示されている。さらに、本説明は、本発明を本明細書で開示される形式に限定することを意図としない。その結果として、変形および修正は、上記の教示に相応し、関連技術の技能および知識は、本発明の範囲内にある。上述する実施形態はさらに、本発明を実践する既知の最良の形態を説明すること、およびこのような実施形態または他の実施形態において、かつ本発明の特定の用途または使用により必要とされる種々の修正とともに、当業者が本発明を利用できるようにすることを意図する。添付の請求項は、従来技術によって可能となる範囲まで代替実施形態を含むと解釈されることが意図される。
【図１Ａ】
0005539357.tif 000002
【図１Ｂ】
0005539357.tif 000003
【図２Ａ】
0005539357.tif 000004
【図２Ｂ】
0005539357.tif 000005
【図３Ａ】
0005539357.tif 000006
【図３Ｂ】
0005539357.tif 000007
【図４Ａ】
0005539357.tif 000008
【図４Ｂ】
0005539357.tif 000009
【図５Ａ】
0005539357.tif 000010
【図５Ｂ】
0005539357.tif 000011
【図６】
0005539357.tif 000012
【図７】
0005539357.tif 000013
【図８Ａ】
0005539357.tif 000014
【図８Ｂ】
0005539357.tif 000015
【図９】
0005539357.tif 000016
【図１０】
0005539357.tif 000017